(57)【特許請求の範囲】
【請求項１】
スーパーストラクチャー構造用の大型鉄骨柱を含む建物の地下構造を逆打ち工法で先行して施工する方法であり、
建物の地下構造を構成する構真柱の施工と並行して、前記スーパーストラクチャー構造用の大型鉄骨柱を構真柱として利用できるように先行設置するため、同大型鉄骨柱の設置位置に大口径立坑の掘削を、解体・撤去可能な掘削用ユニット土留め型枠の組み立て及び建て込みと共に進める段階と、
設計深さまで大口径立坑の掘削と土留め型枠の建て込みが到達した段階で、前記立坑の底部にコンクリート打設により仮設基礎を構築し、更に前記仮設基礎の上にコンクリート打設による本設基礎を用意し、前記本設基礎を養生した後に、同本設基礎の上にスーパーストラクチャー構造用の大型鉄骨柱を建て込み設置する段階と、
前記スーパーストラクチャー構造用の大型鉄骨柱は地上部分まで建方を行い、地上部分の当該大型鉄骨柱の相互間を大型鉄骨梁で連結してスーパーストラクチャー構造を完成する段階と、
一方、建物の地下構造の施工を逆打ち工法で進め、前記大型鉄骨柱の地下部分については地盤の掘削と共に順次に前記土留め型枠を解体・撤去して構真柱に利用し地下階床構造の構築を進めると共に、前記完成したスーパーストラクチャー構造を利用して地上構造の施工も並行して進める段階とから成ることを特徴とする、スーパーストラクチャー構造を含む建物を逆打ち工法で施工するための大型鉄骨柱の先行設置工法。
【発明の詳細な説明】
【０００１】
【発明の属する技術分野】
この発明は、スーパーストラクチャー構造を含む建物の地下構造を先行して施工する逆打ち工法の技術分野に属し、特には前記スーパーストラクチャー構造用の大型鉄骨柱を他の構真柱と共に先行設置する工法に関する。
【０００２】
【従来の技術】
従来、建物の建築工事の工期を短縮する方法として、同建物の地下構造を逆打ち工法で施工することが多い。
【０００３】
前記逆打ち工法を実施するためには、構真柱を地中に先行設置しなければならない。従来一般の構真柱は、直径が７００mm程度のものであり、アースドリル等を使用し中小口径の立坑を掘削して設置する。
【０００４】
【発明が解決しようとする課題】
近年、超高層建物等を建築する手法として、スーパーストラクチャー構造を含む場合がある。スーパーストラクチャー構造を含む建物を逆打ち工法で施工する場合には、その大型鉄骨柱を構真柱として地中に先行設置しなければならない。しかし、スーパーストラクチャー構造に使用される大型鉄骨柱は、その外径が例えば３４００mmと格別に大きい。そのため上記した従来一般の構真柱を設置するような方法では大型鉄骨柱を先行設置することができない。
【０００５】
大型鉄骨柱を先行設置しないと、逆打ち工法を採用しても、スーパーストラクチャー構造を含む建物の地上構造を構築する地上工事を、地下構造を構築する地下工事と同時に並行して行うことはできず、全体工期の短縮を図ることは困難である。
【０００６】
そこで本発明の目的は、スーパーストラクチャー構造を含む建物の地下構造を逆打ち工法で施工する場合に、前記スーパーストラクチャー構造用の大型鉄骨柱を他の構真柱と共に先行して設置することで構真柱としての利用を可能にし、もって地下工事と地上工事を同時に並行して行うことを可能にし、全体工期を短縮できるように工夫した、スーパーストラクチャー構造を含む建物を逆打ち工法で施工するための大型鉄骨柱の先行設置工法を提供することである。
【０００７】
【課題を解決するための手段】
上述した課題を解決する手段として、請求項１に記載した発明に係るスーパーストラクチャー構造Ａを含む建物Ｂを逆打ち工法で施工するための大型鉄骨柱の先行設置工法は、
スーパーストラクチャー構造用の大型鉄骨柱１を含む建物Ｂの地下構造６Ａ、６Ｂを逆打ち工法で先行して施工する方法であり、
建物Ｂの地下構造６Ｂを構成する構真柱２の施工と並行して、前記スーパーストラクチャー構造用の大型鉄骨柱１を構真柱として利用できるように先行設置するため、同大型鉄骨柱１の設置位置に大口径立坑３の掘削を、解体・撤去可能な掘削用ユニット土留め型枠４の組み立て及び建て込みと共に進める段階と、
設計深さまで大口径立坑３の掘削と土留め型枠４の建て込みが到達した段階で、前記立坑３の底部にコンクリート打設により仮設基礎１４を構築し、更に前記仮設基礎１４の上にコンクリート打設による本設基礎１５を用意し、前記本設基礎１５を養生した後に、同本設基礎１５の上にスーパーストラクチャー構造用の大型鉄骨柱１を建て込み設置する段階と、
前記スーパーストラクチャー構造用の大型鉄骨柱１は地上部分まで建方を行い、地上部分の当該大型鉄骨柱１、１の相互間を大型鉄骨梁１７で連結してスーパーストラクチャー構造Ａを完成する段階と、
一方、建物Ｂの地下構造６Ｂの施工を逆打ち工法で進め、前記大型鉄骨柱１の地下部分については地盤の掘削と共に順次に前記土留め型枠４を解体・撤去して構真柱に利用し地下階床構造６Ｂの構築を進めると共に、前記完成したスーパーストラクチャー構造Ａを利用して地上構造の施工も並行して進める段階とから成ることを特徴とする。
【０００８】
【発明の実施形態及び実施例】
本発明は、一例として図５に示したようなスーパーストラクチャー構造Ａを含む建物Ｂを逆打ち工法で施工するにあたり、大型鉄骨柱１…を次のように先行設置する。
【０００９】
先ず、図１に示したように、建物Ｂの地下構造の逆打ち工法に必要な構真柱２…の施工と、前記スーパーストラクチャー構造Ａの大型鉄骨柱１…の先行設置とを並行して行う。即ち、各大型鉄骨柱１の設置位置に、大口径立坑３の掘削を、解体・撤去が可能な構成の掘削用ユニット土留め型枠４を筒状に組み立て建て込みながら進めていく。図中の符号５は山留め壁、符号７は前記構真柱２の基礎である。
【００１０】
図２は、前記大口径立坑３の掘削作業の状況を示している。前記立坑３の掘削底面位置に作業員８…が入り、パワーショベル９等による機械作業により掘削し、地上のクラムアタッチメント付きラフタークレーン１０により掘削土を立坑３内から排出する要領で掘削を進める。前記掘削用ユニット土留め型枠４は、図３に例示したように、鋼製フレーム材１２の外周に複数の鋼製せき板材１３…を周方向及び上下方向へ千鳥状配置に積層して組み立てを進め、順次立坑３の掘削の進捗と共に下方へ押し込み建て込んでいく。前記立坑３は一例として口径６０００mm位の大きさに掘削する。
【００１１】
こうして図４に示したように、設計深さまで掘削と土留め型枠４の建て込みが到達した段階で、先ず前記立坑３の底部に大型鉄骨柱１の重量及び同大型鉄骨柱１に負荷される荷重を支持し、沈下を防止するに足る支持面積と厚さを有する仮設基礎１４をコンクリート打設により構築する。次いで、前記仮設基礎１４の上に本設基礎１５をコンクリート打設により用意し、前記仮設基礎１４及び本設基礎１５を養生した後、前記本設基礎１５の上に大型鉄骨柱１をアンカー等により固定して建てる。
【００１２】
スーパーストラクチャー構造Ａの各大型鉄骨柱１の建て込みは、前記本設基礎１５の上に、単位長さの鉄骨柱ユニットを順次大型クレーン１６により吊り込み、前記土留め型枠４と当該大型鉄骨柱１との隙間で待機する作業員が、継ぎ足し部位を溶接等で接合することにより建て込みを進める。前記大型鉄骨柱１の外径は一例として３４００mm位である。
【００１３】
前記スーパーストラクチャー構造Ａの大型鉄骨柱１…の建方を進める一方で、建物Ｂの地下構造の施工を逆打ち工法で進める。建方した前記大型鉄骨柱１…の地下部分については、地盤の掘削と地下階の床構造６Ａ、６Ｂ、…の構築にしたがい、順次に前記土留め型枠４を解体・撤去して構真柱に利用する。即ち、前記床構造６Ａ、６Ｂ、…の構築に際して、前記大型鉄骨柱１…との取合い（接合）も行う。したがって、大型鉄骨柱１の地下部分は次第に構造的安定性に優れたものとなる。
【００１４】
また、前記大型鉄骨柱１…は、図５のように、地上部分までの建方を完成し、その後、当該大型鉄骨柱１…の相互間を大型鉄骨梁１７…により連結してスーパーストラクチャー構造Ａを完成する。したがって、前記地下構造の施工と並行して、前記スーパーストラクチャー構造Ａを利用した地上構造の施工も進めることができる。
【００１５】
なお、前記大型鉄骨柱１は、内部へコンクリートを打設して鋼管コンクリート柱（ＣＦＴ柱）とし、強度・剛性を増大させることも実施される。
【００１６】
【本発明が奏する効果】
本発明に係るスーパーストラクチャー構造を含む建物を逆打ち工法で施工するための大型鉄骨柱の先行設置工法によれば、スーパーストラクチャー構造の大型鉄骨柱を他の構真柱と共に先行設置して構真柱としての利用を可能とし、更に建物の地上構造を支持するスーパーストラクチャー構造の完成を早めるので、地上構造を構築する地上工事と、地下構造を構築する地下工事とを同時に並行して行え、全体工期を大幅に短縮できる。
【図面の簡単な説明】
【図１】本発明に係るスーパーストラクチャー構造を含む建物を逆打ち工法で施工するための大型鉄骨柱の先行設置工法の立坑の掘削段階を示した立面図である。
【図２】立坑掘削作業の状況を示した立面図である。
【図３】本発明に使用する掘削用ユニット土留め型枠の一例を示した斜視図である。
【図４】本発明に係るスーパーストラクチャー構造を含む建物を逆打ち工法で施工するための大型鉄骨柱の先行設置工法の大型鉄骨柱の建込み段階を示した立面図である。
【図５】スーパーストラクチャー構造を含む建物の一例を示した斜視図である。
【符号の説明】
Ａ    スーパーストラクチャー構造
Ｂ    建物
１    大型鉄骨柱
２    構真柱
３    大口径立坑
４    掘削用ユニット土留め型枠
１４    仮設基礎
１５    本設基礎
１７    大型鉄骨梁
【図１】
0004589506.tif 000002
【図２】
0004589506.tif 000003
【図３】
0004589506.tif 000004
【図４】
0004589506.tif 000005
【図５】
0004589506.tif 000006